(57)【要約】【課題】  ユーザの特性や好みに応じて操作スイッチを調整することが可能なユーザインタフェイス自動調整方法及び装置を提供する。【解決手段】  操作部位を表示させるための表示部（３０）、前記操作部位を利用して操作入力を行うための入力部（３２）及び音声出力部（４６）を有する機器のユーザインタフェイス自動調整方法であって、表示部に検査用操作部位（４０１〜４０５）を表示させ、音声出力部から検査用操作部位を利用して操作入力を行わせるための指示（又は質問）を行い、指示（又は質問）に応じて前記入力部から出力される検査結果データに基づいて最適操作部位を決定し、表示部に最適操作部位を機器の操作部位として表示する、過程を有することを特徴とする。【選択図】      図１
2005293175.tif 000002
【特許請求の範囲】
【請求項１】
操作部位を表示させるための表示部、前記操作部位を利用して操作入力を行うための入力部及び音声出力部を有する機器のユーザインタフェイス自動調整方法であって、
前記表示部に検査用操作部位を表示させ、
前記音声出力部から、前記検査用操作部位を利用して操作入力を行わせるための指示を行い、
前記指示に応じて前記入力部から出力される検査結果データに基づいて、最適操作部位を決定し、
前記表示部に前記最適操作部位を前記機器の操作部位として表示する、
過程を有することを特徴とするユーザインタフェイス自動調整方法。
【請求項２】
前記表示部に検査用操作部位を表示させる過程は、
前記表示部に複数種類の検査用操作部位を表示させ、
前記指示を行う過程は、前記複数種類の検査用操作部位の各々を利用して操作入力を行わせるための指示を行い、
前記決定する過程は、前記検査結果データに基づいて、前記複数種類の検査用操作部位の中から最適操作部位を決定する、
過程を含む請求項１に記載のユーザインタフェイス自動調整方法。
【請求項３】
前記表示部に複数種類の検査用操作部位を表示させる過程は、大きさ、太さ、形状、輝度又は色調が夫々異なった複数種類の検査用操作部位を表示させる過程を含む請求項２に記載のユーザインタフェイス自動調整方法。
【請求項４】
前記最適操作部位を決定する過程は、
前記複数種類の検査用操作部位毎の応答速度及び誤操作率を求め、
前記応答速度及び前記誤操作率に基づいてユーザ適値を演算し、
前記ユーザ適値に基づいて前記複数種類の検査用操作部位の中から前記最適操作部位を決定する、
過程を含む請求項２又は３に記載のユーザインタフェイス自動調整方法。
【請求項５】
ユーザ認証を行ってユーザを特定し、
特定されたユーザ毎に、前記最適操作部位を記憶し、
記憶された前記最適操作部位に基づいて、ユーザ毎に前記最適操作部位を前記機器の操作部位として表示する、
過程をさらに有する請求項１〜４の何れか一項に記載のユーザインタフェイス自動調整方法。
【請求項６】
ユーザインタフェイス自動調整装置であって、
操作部位を表示させるための表示部と、
前記操作部位を利用して操作入力を行うための入力部と、
音声出力部と、
ユーザに前記検査用操作部位を利用して操作入力を行わせるための指示データが記憶された記憶部と、
前記表示部に検査用操作部位を表示させ、前記音声出力部から前記記憶部に記憶された指示データに基づいて指示を行い、前記指示に応じて前記入力部から出力される検査結果データに基づいて最適操作部位を決定し、前記表示部に前記最適操作部位を表示する制御部と、
を有することを特徴とするユーザインタフェイス自動調整装置。
【請求項７】
前記制御部は、前記表示部に複数種類の検査用操作部位を表示させ、前記音声出力部から前記記憶部に記憶された指示データに基づいて前記複数種類の検査用操作部位の各々を利用して操作入力を行う旨の指示を行い、前記検査結果データに基づいて、前記複数種類の検査用操作部位の中から最適操作部位を決定する、請求項６に記載のユーザインタフェイス自動調整装置。
【請求項８】
前記制御部は、大きさ、太さ、形状、輝度又は色調が夫々異なった複数種類の検査用操作部位を表示させる請求項７に記載のユーザインタフェイス自動調整装置。
【請求項９】
前記制御部は、前記検査結果データとして、前記複数種類の検査用操作部位毎の応答速度及び誤操作率を求め、前記応答速度及び前記誤操作率に基づいてユーザ適値を演算し、前記ユーザ適値に基づいて前記複数種類の検査用操作部位の中から前記最適操作部位を決定する、請求項７又は８に記載のユーザインタフェイス自動調整装置。
【請求項１０】
前記制御部は、ユーザ認証を行ってユーザを特定し、特定されたユーザ毎に、前記最適操作部位を記憶し、記憶された前記最適操作部位に基づいて、ユーザ毎に前記最適操作部位を表示する、請求項６〜９の何れか一項に記載のユーザインタフェイス自動調整装置。
【請求項１１】
前記入力部は、前記表示部に設けられたタッチパネルである請求項６〜１０の何れか一項に記載のユーザインタフェイス自動調整装置。
【発明の詳細な説明】
【技術分野】
【０００１】
本発明は、ユーザインタフェイス自動調整方法及び装置に関し、詳しくは最適なユーザインタフェイスを特定する自動調整方法及び装置に関する。
【背景技術】
【０００２】
車載端末の表示ディスプレイにタッチパネルを取り付け、表示ディスプレイに様々な操作スイッチを表示させ、表示個所のタッチパネルに押圧することによって、表示された操作スイッチの動作に対応して車両や車載端末を操作／制御することが知られている（例えば、特許文献１参照）。
【０００３】
また、複数の操作スイッチを有するトランシーバにおいて、ユーザに対する複数の指示とそれに対する回答結果から、ユーザの操作器量レベルを自動判定し、操作技量レベルに応じて、複数の操作スイッチによって操作される機能の範囲を制限するように構成したトランシーバが知られている（例えば、特許文献２参照）。
【特許文献１】特開２０００−２０３３５６号公報（第３頁、第１１図）
【特許文献２】特開平５−４８４８６号公報（第５頁、第５図）
【発明の開示】
【発明が解決しようとする課題】
【０００４】
しかしながら、複数の指示とそれに対する回答結果から、操作スイッチの機能を制限しても、もともと存在する複数の操作スイッチ自体は何ら変化しないため、操作スイッチの操作性を向上させることはできなかった。
【０００５】
また、タッチパネルの操作スイッチの大きさや形状等が、各個人の特性に合わない場合でも、ユーザは、同じ大きさや形状の操作スイッチを使用し続けなければならなかった。
【０００６】
そこで、本発明は、上記の不具合を解消することが可能なユーザインタフェイス自動調整方法及び装置を提供することを目的とする。
【０００７】
また、本発明は、ユーザの特性や好みに応じて操作スイッチを調整することが可能なユーザインタフェイス自動調整方法及び装置を提供することを目的とする。
【０００８】
また、本発明は、ユーザ毎に、各ユーザの特性や好みに応じて操作スイッチを調整することが可能なユーザインタフェイス自動調整方法及び装置を提供することを目的とする。
【課題を解決するための手段】
【０００９】
上記課題を解決するために、本発明に係るユーザインタフェイス自動調整方法では、表示部に検査用操作部位を表示させ、音声出力部から検査用操作部位を利用して操作入力を行わせるための指示を行い、指示に応じて前記入力部から出力される検査結果データに基づいて最適操作部位を決定し、表示部に前記最適操作部位を前記機器の操作部位として表示する、過程を有することを特徴とする。
【００１０】
さらに、ユーザインタフェイス自動調整方法では、表示部に複数種類の検査用操作部位を表示させ、複数種類の検査用操作部位の各々を利用して操作入力を行わせるための指示を行い、検査結果データに基づいて複数種類の検査用操作部位の中から最適操作部位を決定することが好ましい。
【００１１】
さらに、ユーザインタフェイス自動調整方法では、大きさ、太さ、形状、輝度又は色調が夫々異なった複数種類の検査用操作部位を表示させることが好ましい。
【００１２】
さらに、ユーザインタフェイス自動調整方法では、複数種類の検査用操作部位毎の応答速度及び誤操作率を求め、応答速度及び前記誤操作率に基づいてユーザ適値を演算し、ユーザ適値に基づいて前記複数種類の検査用操作部位の中から前記最適操作部位を決定する、ことが好ましい。
【００１３】
さらに、ユーザインタフェイス自動調整方法では、ユーザ認証を行ってユーザを特定し、特定されたユーザ毎に最適操作部位を記憶し、記憶された最適操作部位に基づいてユーザ毎に前記最適操作部位を前記機器の操作部位として表示する、ことが好ましい。１台の機器を利用する場合でも、ユーザ毎に最適なユーザインタフェイスに調整できるようにしたものである。
【００１４】
また、上記課題を解決するために、本発明に係るユーザインタフェイス自動調整装置では、操作部位を表示させるための表示部と、操作部位を利用して操作入力を行うための入力部と、音声出力部と、ユーザに検査用操作部位を利用して操作入力を行わせるための指示データが記憶された記憶部と、
表示部に検査用操作部位を表示させ、音声出力部から記憶部に記憶された指示データに基づいて指示を行い、指示に応じて前記入力部から出力される検査結果データに基づいて最適操作部位を決定し、表示部に前記最適操作部位を表示する制御部と、を有することを特徴とする。
【００１５】
さらに、ユーザインタフェイス自動調整装置では、制御部は、表示部に複数種類の検査用操作部位を表示させ、音声出力部から記憶部に記憶された指示データに基づいて複数種類の検査用操作部位の各々を利用して操作入力を行う旨の指示（又は質問）を行い、検査結果データに基づいて、複数種類の検査用操作部位の中から最適操作部位を決定する、ことが好ましい。
【００１６】
さらに、ユーザインタフェイス自動調整装置では、制御部は、大きさ、太さ、形状、輝度又は色調が夫々異なった複数種類の検査用操作部位を表示させることが好ましい。
【００１７】
さらに、ユーザインタフェイス自動調整装置では、制御部は、検査結果データとして、複数種類の検査用操作部位毎の応答速度及び誤操作率を求め、応答速度及び誤操作率に基づいてユーザ適値を演算し、ユーザ適値に基づいて複数種類の検査用操作部位の中から最適操作部位を決定する、ことが好ましい。
【００１８】
さらに、ユーザインタフェイス自動調整装置では、制御部は、ユーザ認証を行ってユーザを特定し、特定されたユーザ毎に最適操作部位を記憶し、記憶された最適操作部位に基づいてユーザ毎に最適操作部位を表示する、ことが好ましい。
【００１９】
さらに、ユーザインタフェイス自動調整装置では、入力部は、表示部に設けられたタッチパネルであることが好ましい。
【発明の効果】
【００２０】
本発明に係わるユーザインタフェイス自動調整方法及び装置によれば、ユーザの特性や好みに応じた最適なユーザインタフェイスを提供することができる。
【００２１】
また、本発明に係わるユーザインタフェイス自動調整方法及び装置によれば、本人も気づいていない、潜在的にユーザが有している最適なユーザインタフェイスを提供することができる。
【００２２】
さらに、本発明に係わるユーザインタフェイス自動調整方法及び装置によれば、一台の機器を複数のユーザで利用する場合であっても、ユーザ毎に最適なユーザインタフェイスを提供することができる。
【発明を実施するための最良の形態】
【００２３】
以下図面を参照して、本発明に係るユーザインタフェイス自動調整方法及び装置について説明する。
【００２４】
図１に、本発明に係るユーザインタフェイス自動調整装置としても機能を有する車載端末装置１０の一例の概略構成図を示す。図１に示す様に、車載端末１０は、車両２（図示せず）に取り付けられており、制御部１２、ナビゲーションの為等に利用される地図情報を記録するためのハードディスク、ＤＶＤ又はＣＤ等の記録媒体から構成される地図情報記憶部１４、ＶＩＣＳ情報受信部１２、ＧＰＳ情報受信部１８、ジャイロセンサ２０、車速パルス２２、テレビ放送受信部２４、操作部２６、薄型液晶ディスプレイ等の表示部３０、タッチパネル３２、音声入力部４０、音声認識部４２、音声合成部４４、音声出力部４６、質疑応答データベース（以下「質疑応答ＤＢ」と言う）５０、及びパーソナルエージェントデータベース（以下「エージェントＤＢ」と言う）５２等から構成されている。
【００２５】
制御部１２は、ＣＰＵ、ＲＡＭ、ＲＯＭ、Ｉ／Ｏ、バス等から構成され、予め記憶されたプログラムに従って、質疑応答ＤＢ５０に記憶された指示（又は質問）をユーザに対して行って最適なユーザインタフェイスを決定してエージェントＤＢ５２に記録し、エージェントＤＢ５２に記録された内容に応じて表示部３０に表示されるユーザインタフェイスを変更するように制御する。
【００２６】
また、制御部１２は、同様に、地図情報記憶部１４に記憶された地図情報、ＶＩＣＳ（Vehicle Information and Communication System）情報受信部１６が受信した渋滞情報、交通規制情報及び気象情報等を含む車両の走行に関連する走行関連情報、ＧＰＳ情報受信部１８が受信した車両２の位置情報、ジャイロセンサ２０から取得した車両２の進行方向情報、及び車速パルス受信部２２が受信した車速パルス等を用い、操作部２６、表示部３０、タッチパネル３２、音声入力部４０、音声認識部４２、音声合成部４４、及び音声出力部４６を利用してナビゲーション動作を行う。さらに、制御部１２は、テレビ放送受信部２４から受信した映像データ及び音声データを、表示部３０に表示し且つ音声出力部４６から出力するように制御する。
【００２７】
操作部２６は、車載端末１０の電源スイッチや音量ボリュームスイッチを含む各種スイッチから構成されている。
【００２８】
表示部３０の前面には、透明導電膜等によって構成されるタッチパネル３２がとりつけられている。したがって、表示部３０に車載端末１０を操作するための操作部位（例えば、ボタン、スライドバー等）を表示し、その画面をユーザが押圧すると、タッチパネル３２から所定の入力信号が出力されて、表示部３０に表示された操作部位が操作入力されたもとして扱うことが可能である。なお、表示部３０に表示される操作部位から操作入力を行える方式であれば、タッチパネル３２以外の方法も利用することができる。
【００２９】
音声入力部４０は、マイク等から構成され、ユーザが発した音声を音声信号として検出する。
【００３０】
音声認識部４２は、音声入力部４０が検出した音声信号を受信し、予め記憶されている音声波形データと比較することによって、音声波形データに対応した操作データをユーザが発した音声の意味内容に相当するものとして決定し、制御部１２に決定した操作データを出力する。したがって、音声認識部４２は、音声信号比較部、音声波形データベース、音声波形データ及び操作データ対応テーブル、操作データ決定部等を含むことが好ましい。
【００３１】
音声合成部４４は、制御部１２から出力された文字データを処理して合成音声データを作成し、スピーカ等から構成され車両２に取り付けられた音声出力部４６から音声として出力する。なお、音声合成部４４は、必要に応じて合成音声データを増幅するための増幅器を有していても良い。
【００３２】
図２に、本実施形態におけるユーザインタフェイス自動調整フローの一例を示す。
【００３３】
始めに、車両２に搭載されている車載端末１０の操作部２６を操作することによって、電源をＯＮし、所定の操作を行ってユーザインタフェイス調整フローを呼び出す（ステップ２００）。
【００３４】
次に、制御部１２は、所定のユーザ認証を行い、ユーザを特定する（ステップ２０１）。ユーザ認証は、例えば、予め付与されているユーザＩＤと予め定められているパスワードを操作部２６を用いて入力すること等によって行う。
【００３５】
次に、制御部１２は、ステップ２０１で特定されたユーザの初期登録がなされているか否かを判断する（ステップ２０２）。
【００３６】
ステップ２０２で初期登録がなされていないと判断された場合、制御部１２は、ステップ２０３へ進み、最適なユーザインタフェイスを決定する。最適なユーザインタフェイスの決定方法は後述する。
【００３７】
次に、制御部１２は、ステップ２０４で決定された最適なユーザインタフェイスを示すユーザ情報をエージェントＤＢに記録する（ステップ２０４）。
【００３８】
次に、制御部１２は、ステップ２０３で決定されたユーザ情報を用いて、ユーザインタフェイスを自動調整し（ステップ２０５）、ユーザインタフェイス自動調整フローを終了する（ステップ２０６）。
【００３９】
ステップ２０２で初期登録がなされていたと判断された場合、制御部１２は、エージェントＤＢ５２からユーザインタフェイスを示すユーザ情報を読み出し（ステップ２０７）、読み出されたユーザ情報を用いて、ユーザインタフェイスを自動調整し（ステップ２０８）、ユーザインタフェイス自動調整フローを終了する（ステップ２０６）。
【００４０】
エージェントＤＢ５２には、ユーザ毎に、後述するユーザインタフェイスを示すユーザ情報が記録されており、記録されているユーザ情報に基づいてユーザインタフェイスが自動調整されるので、一台の車載端末を複数のユーザが利用する場合であっても、ユーザ毎に最適なユーザインタフェイスを用いて操作することができる。
【００４１】
図３に、ユーザインタフェイスを決定のためのユーザ情報決定フローの一例を示す。
【００４２】
図２のステップ２０３において、ユーザ情報決定フローが開始される（ステップ３００）。
【００４３】
最初に、制御部１２は、ボタンサイズ確認画面を表示部３０に表示する（ステップ３０１）。ボタンサイズ確認画面の一例を図４に示す。図４に示すように、ボタンサイズ確認画面には、実質的に同じ形状、輝度及び色調で、異なる大きさを有する複数のボタン４０１〜４０５が、検査用操作部位として表示される。
【００４４】
次に、制御部１２は、質疑応答ＤＢ５０からボタンサイズ確認に対応するデータを読み出し、ユーザに対して音声合成部４４を通じて音声出力部４６から指示（又は質問）を行い、ユーザからの反応をタッチパネル３２からのデータに応じて記録する処理、即ち、質疑応答処理を行う（ステップ３０２）。
【００４５】
指示（又は質問）の内容の一例は、例えば、「うのボタンを押してください。」、「あ、い、う、え、おの順でボタンを押してください。」、及び「えのボタンを繰り返し３回押してください。」等と言ったものである。質疑応答処理では、制御部１２が、図４に示すボタンサイズ確認画面のボタン位置を様々に変化させながら（例えば、ボタン４０１〜４０５の配置をランダムに３回〜５回変更させなが）、上記に示すような指示（又は質問）を繰り返し、各ボタンについての応答時間（指示（又は質問）が発せられてからタッチパネルが押圧されるまでの時間（秒））の平均及び誤操作率（間違って違うボタンを押圧する割合（％））を求め、各ボタンについてユーザ適値（応答時間（秒）×誤操作率（％））を演算する。
【００４６】
次に、制御部１２は、ユーザ適値が最大のボタンサイズをユーザに最適なサイズとしてサイズ決定を行う（ステップ３０３）。
【００４７】
次に、制御部１２は、ボタン形状確認画面を表示部３０に表示する（ステップ３０４）。ボタン形状確認画面の一例を図５に示す。図５に示すように、ボタン形状確認画面には、実質的に同じ大きさ、輝度及び色調で、異なる形状を有する複数のボタン５０１〜５０５が、検査用操作部位として表示される。
【００４８】
次に、制御部１２は、質疑応答ＤＢ５０からボタン形状確認に対応するデータを読み出し、ユーザに対して音声合成部４４を通じて音声出力部４６から指示（又は質問）を行い、ユーザからの反応をタッチパネル３２からのデータに応じて記録する処理、即ち、質疑応答処理を行う（ステップ３０５）。
【００４９】
指示（又は質問）の内容の一例は、ステップ３０２で例示したものと同様である。質疑応答処理では、制御部１２が、図５に示すボタン形状確認画面のボタン位置を様々に変化させながら、上記に示すような指示（又は質問）を繰り返し、各ボタンについての応答時間の平均及び誤操作率（％）を求め、各ボタンについてユーザ適値（応答時間（秒）×誤操作率（％））を演算する。
【００５０】
次に、制御部１２は、ユーザ適値が最大のボタン形状をユーザに最適な形状として形状決定を行う（ステップ３０６）。
【００５１】
次に、制御部１２は、ボタン輝度確認画面を表示部３０に表示する（ステップ３０７）。ボタン輝度確認画面の一例を図６に示す。図６に示すように、ボタン輝度確認画面には、実質的に同じ大きさ、形状及び色調で、異なる輝度（コントラスト）を有するの複数のボタン６０１〜６０５が、検査用操作部位として表示される。
【００５２】
次に、制御部１２は、質疑応答ＤＢ５０からボタン輝度確認に対応するデータを読み出し、ユーザに対して音声合成部４４を通じて音声出力部４６から指示（又は質問）を行い、ユーザからの反応をタッチパネル３２からのデータに応じて記録する処理、即ち、質疑応答処理を行う（ステップ３０８）。
【００５３】
指示（又は質問）の内容の一例は、ステップ３０２で例示したものと同様である。質疑応答処理では、制御部１２が、図６に示すボタン輝度確認画面のボタン位置を様々に変化させながら、上記に示すような指示（又は質問）を繰り返し、各ボタンについての応答時間の平均及び誤操作率（％）を求め、各ボタンについてユーザ適値（応答時間（秒）×誤操作率（％））を演算する。
【００５４】
次に、制御部１２は、ユーザ適値が最大のボタン輝度をユーザに最適な輝度として輝度決定を行う（ステップ３０９）。
【００５５】
次に、制御部１２は、ボタン色調確認画面を表示部３０に表示する（ステップ３１０）。ボタン色調確認画面の一例を図７に示す。図７に示すように、ボタン色調確認画面には、実質的に同じ大きさ、形状及び輝度で、異なる色調を有する複数のボタン７０１〜７０５が、検査用操作部位として表示される。
【００５６】
次に、制御部１２は、質疑応答ＤＢ５０からボタン色調確認に対応するデータを読み出し、ユーザに対して音声合成部４４を通じて音声出力部４６から指示（又は質問）を行い、ユーザからの反応をタッチパネル３２からのデータに応じて記録する処理、即ち、質疑応答処理を行う（ステップ３１１）。
【００５７】
指示（又は質問）の内容の一例は、ステップ３０２で例示したものと同様である。質疑応答処理では、制御部１２が、図７に示すボタン色調確認画面のボタン位置を様々に変化させながら、上記に示すような指示（又は質問）を繰り返し、各ボタンについての応答時間の平均及び誤操作率（％）を求め、各ボタンについてユーザ適値（応答時間（秒）×誤操作率（％））を演算する。
【００５８】
次に、制御部１２は、ユーザ適値が最大のボタン色調をユーザに最適な色調として色調決定を行う（ステップ３１２）。
【００５９】
このようにして、ボタンサイズ、形状、輝度及び色調がユーザ情報として決定されて、ユーザ情報決定フローが終了する（ステップ３１３）。
【００６０】
上記のユーザ情報決定フローでは、ボタンサイズ、形状、輝度及び色調等のパラメータをユーザインタフェイスを決定するためのユーザ情報として決定したが、これに限られず、例えば、画面上の配置（左右、上下、斜め等）や、操作状況に対応した操作ボタンの配置など、様々なパラメータを決定することができる。また、各パラメータを決定するに際し、一度に５種類のボタンを表示するように構成したが、これに限定されるものではなく、最適な数、位置等を選択することが可能である。
【００６１】
上記のようにして、調整されたユーザインタフェイスの一例を図８に示す。図８（ａ）は、調整を行わない場合の初期に設定されている表示部３０に表示されるユーザインタフェイス（操作ボタン列）の一例である。図３に示すフローに従がってユーザ情報を決定した結果、サイズについては図４「え」のボタン４０４が、形状については図５「い」のボタン５０２が、輝度については図６「え」のボタン６０４が、色調については図７「い」のボタン７０２が選択された場合、図８（ａ）のユーザインタフェイス（操作ボタン列）は図８（ｂ）のような最適操作部位に調整されることとなる。
【００６２】
なお、上記の説明では、４つのパラメータ（大きさ、形状、輝度、色彩）の最適値を別々に求め、それらを合成して最適操作部位を作成したが、表示された検査用操作部位の中から最適操作部位を決定するようにしても良い。
【００６３】
また、上記では、車載端末１０を用いて説明したが、家電機器テレビ等のマンマシンインタフェイス（物理的に形状等が固定されていないインタフェイス）を有するすべての機器に本発明を利用することが可能である。
【００６４】
図９に、ボタンサイズを決定するための他の方法を示す。
【００６５】
最初に、制御部１２は、表示部３０に図９（ａ）に示すような表示画面を表示する。図９（ａ）では、点９０１のみが表示されている。ここで、制御部１２は、質疑応答処理時に、「画面上の点を押してください。」という指示（又は質問）を、画面上の点９０１の位置を様々に変更しながら行う。
【００６６】
その後、制御部１２は、図９（ｂ）に示すような、ユーザが点９０１を実際に押した個所（例えば９０２）の位置をタッチパネル３２から検出し、その差ｒの平均値を求め、平均値がボタンの実質的な大きさの半径になるようにボタンサイズを選択する。
【００６７】
即ち、このような処理によって、ユーザが正確に押すことができる最小のボタンを確認することが可能となる。なお、図９に示した方法は、図３のフロー中のステップ３０１〜３０３に代えて用いることが可能である。
【００６８】
図１０に、ボタンサイズを決定するための更に他の方法を示す。
【００６９】
図１０の例では、棒状のスライドボタンについてユーザに最適な大きさを決定するものである。
【００７０】
最初に、制御部１２は、表示部３０に図１０に示すような、サイズの異なった（太さの異なった）複数の棒状のスライドボタン１００１〜１００３を表示する。ここで、制御部１２は、質疑応答処理時に、「あのスライドバーを５のメモリまで動かしてください。」という指示（又は質問）を、画面上に表示されるスライドボタン１００１〜１００３の配置を変更しながら、繰り返し、各ボタンについての応答時間（指示（又は質問）終了後からスライドバーが指定位置に到達するまでの時間（秒））の平均及び誤操作率（％）を求め、各ボタンについてユーザ適値（応答時間（秒）×誤操作率（％））を演算する。
【００７１】
その後、ユーザ適値が最も高いスライドボタンを決定する。なお、図１０に示した方法は、図３のフロー中の追加するようにして用いることが可能である。
【００７２】
図１１に、操作部２６が有するボタンの機能を決定するための方法の一例を示す。
【００７３】
図１１に他の表示部３３を示す。表示部３０の外枠の前面右下部には、操作部２６の一つとして回転式の音量ボリュームボタン１１０１が設けられている。音量ボリュームボタン１１０１を回転させることによって、音量を調節することができるが、通常は、調節の割合（どの位回転させると、どのくらい音量が変化するか）は予め定められている。しかしながら、通常使用する範囲は極めて限られており、非常に狭い角度の部分でしか音量ボリュームを利用しない場合も多い。そこで、本実施形態では、回転式の音量ボリュームの約４５度の範囲１１０２の音量変化の割合を変更することができるようにしたものである。
【００７４】
最初に制御部１２は、図１１に示すような６種類の回転角度を示すボタンあ１１１０〜か１１６０を示す。例えば、ユーザが「い」ボタン１１２０を選択すると、回転式音量ボリュームの音量変化の割合は初期設定値の１／２に変更され（即ち、初期４５度の範囲が９０度の範囲に変更される）、ユーザが「か」ボタン１１６０を選択すると、回転式音量ボリュームの音量変化の割合は初期設定値の１／６に変更される。なお、ユーザが「あ」ボタン１１１０を選択すると、初期設定のままとなる。
【００７５】
このようにして、本発明に係るユーザインタフェイス自動調整方法及び装置を利用すれば、ユーザに最適なインタフェイスを決定することができるので、ユーザの操作性が格段に向上することとなる。
【図面の簡単な説明】
【００７６】
【図１】本発明に係るユーザインタフェイス自動調整装置の概要を示すブロック図である。
【図２】本発明に係るユーザインタフェイス自動調整フローの一例を示す図である。
【図３】ユーザインタフェイスを決定のためのユーザ情報決定フローの一例を示す図である。
【図４】ボタンサイズ確認画面の一例を示す図である。
【図５】ボタン形状確認画面の一例を示す図である。
【図６】ボタン輝度確認画面の一例を示す図である。
【図７】ボタン色調確認画面の一例を示す図である。
【図８】(ａ）は調整前の操作ボタンを示し、（ｂ）は調整後の操作ボタンを示す図である。
【図９】(ａ）ボタンサイズ確認画面の一例を示し、（ｂ）はボタンサイズを決定の方法を説明するための図である。
【図１０】スライドボタンのサイズ確認画面の一例を示す図である。
【図１１】操作部の操作スイッチの機能調整画面の一例を示す図である。
【符号の説明】
【００７７】
１０…車載端末装置
１２…制御部
２６…操作部
３０…表示部
３２…タッチパネル
４０…音声入力部
４２…音声認識部
４４…音声合成部
４６…音声出力部
５０…質疑応答ＤＢ
５２…エージェントＤＢ
【図１】
2005293175.tif 000003
【図２】
2005293175.tif 000004
【図３】
2005293175.tif 000005
【図４】
2005293175.tif 000006
【図５】
2005293175.tif 000007
【図６】
2005293175.tif 000008
【図７】
2005293175.tif 000009
【図８】
2005293175.tif 000010
【図９】
2005293175.tif 000011
【図１０】
2005293175.tif 000012
【図１１】
2005293175.tif 000013